(57)【要約】  【課題】  部品点数を低減できる表示装置を提供する。  【解決手段】  本発明の表示装置Ｘ１は、複数の画素領域ＰＳと、該画素領域ＰＳを区画する区画パターン１３、１４とを有する表示領域ＥＩを備え、第１主面１０ａを有する第１基体１０と、第１主面１０ａ上に設けられる複数の第１検出電極１１１と、第１主面１０ａ上に設けられる複数の第２検出電極１２１と、第１主面１０ａ上に設けられ、隣り合う第１検出電極１１１を接続する複数の第１接続電極１１２と、第１接続電極１１２上に区画パターン１３、１４を介して設けられ、隣り合う第２検出電極１２１を接続する複数の第２接続電極１２２とを備える。【選択図】  図４
2011107699.tif 000002
【特許請求の範囲】
【請求項１】
複数の画素領域と、該画素領域を区画する区画パターンと、を有する表示領域を備えた表示装置であって、
第１主面を有する第１基体と、
前記第１主面上に設けられた複数の第１検出電極と、
前記第１主面上に設けられた複数の第２検出電極と、
前記第１主面上に設けられ、隣り合う前記第１検出電極を接続する複数の第１接続電極と、
該第１接続電極上に前記区画パターンを介して設けられ、隣り合う前記第２検出電極を接続する複数の第２接続電極と、を備えた表示装置。
【請求項２】
前記第１基体の第１主面と対向する対向面を有する第２基体と、
前記第１基体と前記第２基体との間に介在される液晶層と、
前記液晶層に電圧を印加するための第１表示電極と、
前記液晶層に電圧を印加するための第２表示電極と、をさらに備える、請求項１に記載の表示装置。
【請求項３】
前記第１表示電極は、前記第１基体の第１主面上に設けられており、
前記第２表示電極は、前記第２基体の対向面上に設けられている、請求項２に記載の表示装置。
【請求項４】
前記第２表示電極は、前記絶縁部材と同一の材料からなる保護膜によって覆われている、請求項１〜３のいずれかに記載の表示装置。
【請求項５】
前記複数の画素領域内に位置する第１基体の第１主面上に設けられた複数の第１表示電極と、
前記第１表示電極と対向配置された複数の第２表示電極と、
前記第１表示電極と前記第２表示電極との間に介在された複数の発光層と、をさらに備える、請求項１に記載の表示装置。
【請求項６】
前記区画パターンは、前記複数の画素領域内に設けられた複数のカラーフィルタと、前記複数の画素領域の外周に沿って設けられた遮光パターンと、を備え、前記遮光パターンが前記第１接続電極と前記第２接続電極との間に介在されている、請求項１に記載の表示装置。
【請求項７】
前記第１検出電極、前記第１接続電極、前記第２検出電極および前記第２接続電極は、平面視で、その外周が前記遮光パターンの外周よりも内側に位置するように前記遮光パターンの形成領域内に設けられている、請求項６に記載の表示装置。
【請求項８】
前記区画パターンは、前記複数の画素領域内に設けられた複数のカラーフィルタと、前記複数の画素領域の外周に沿って設けられた遮光パターンと、を備え、前記カラーフィルタが前記第１接続電極と前記第２接続電極との間に介在されている、請求項１に記載の表示装置。
【請求項９】
前記第２接続電極の厚みは前記第２検出電極の厚みより大きい、請求項１に記載の表示装置。
【請求項１０】
前記表示領域外に位置する前記第１主面上に設けられており、且つ前記第１検出電極に電圧を印加するための第１検出用配線と、
前記表示領域外に位置する前記第１主面上に設けられており、且つ前記第２検出電極に電圧を印加するための第２検出用配線と、
前記表示領域外に位置する前記第１主面上に設けられており、且つ前記第１表示電極に電圧を印加するための第１表示用配線と、
前記表示領域外に位置する前記第１主面上に設けられており、且つ前記第２表示電極に電圧を印加するための第２表示用配線と、をさらに備え、
前記第１検出用配線、前記第２検出用配線、前記第１表示用配線および前記第２表示用配線は、前記第２接続電極と同一材料からなる、請求項２に記載の表示装置。
【発明の詳細な説明】
【技術分野】
【０００１】
本発明は、表示装置に関する。
【背景技術】
【０００２】
従来から、静電容量方式のタッチパネルを搭載した表示装置が知られている（例えば、特許文献１参照）。
【先行技術文献】
【特許文献】
【０００３】
【特許文献１】特開２００８−３１０５５１号公報
【発明の概要】
【発明が解決しようとする課題】
【０００４】
そういった表示装置では、その構造をさらにシンプルにするという需要があり、この需要を満たすために表示装置の部品点数を減らす必要がある。
【０００５】
本発明は、上記の問題点に鑑みてなされたものであり、その目的は、部品点数を少なくすることができる表示装置に関する。
【課題を解決するための手段】
【０００６】
本発明の表示装置は、複数の画素領域と、該画素領域を区画する区画パターンと、を有する表示領域を備えた表示装置であって、第１主面を有する第１基体と、前記第１主面上に設けられる複数の第１検出電極と、前記第１主面上に設けられる複数の第２検出電極と、前記第１主面上に設けられ、隣り合う前記第１検出電極を接続する複数の第１接続電極と、前記第１接続電極上に前記区画パターンを介して設けられ、隣り合う前記第２検出電極を接続する複数の第２接続電極とを備える。
【発明の効果】
【０００７】
本発明の表示装置によれば、部品点数を低減できるという効果を奏する。
【図面の簡単な説明】
【０００８】
【図１】本発明の第１の実施形態に係る表示装置を表す平面図である。
【図２】図１のＩ−Ｉに沿った断面図である。
【図３】図１のＩＩ−ＩＩに沿った断面図である。
【図４】図１のＩＩＩ−ＩＩＩに沿った断面図である。
【図５】図１のＩＶ−ＩＶに沿った断面図である。
【図６Ａ】図１のＱ部分の拡大平面図である。
【図６Ｂ】図６ＡのＶ−Ｖに沿った断面図である。
【図７】図１に示す表示装置の変形例であって、図１のＩＩＩ−ＩＩＩに沿った断面に対応する図である。
【図８Ａ】図１に示す表示装置の変形例であって、図１のＱ部分に対応する図である。
【図８Ｂ】図８ＡのＶＩ−ＶＩに沿った断面図である。
【図９Ａ】図１に示す表示装置の変形例であって、図１のＱ部分に対応する拡大平面図である。
【図９Ｂ】図９ＡのＶＩＩＩ−ＶＩＩＩに沿った断面図である。
【図１０Ａ】図１に示す表示装置の変形例であって、図１のＱ部分に対応する拡大平面図である。
【図１０Ｂ】図１０ＡのＩＸ−ＩＸに沿った断面図である。
【図１１】本発明の第２の実施形態に係る表示装置の要部を示す断面図である。
【図１２】本発明の第３の実施形態に係る表示装置の要部を示す断面図である。
【発明を実施するための形態】
【０００９】
[第１の実施の形態]
本発明の第１の実施形態の係る表示装置Ｘ１について説明する。各図において、直接視認できない部材については、破線で示している。
【００１０】
本実施形態に係る表示装置Ｘ１は、入力機能を有しており、液晶表示装置と、静電容量方式のタッチパネルと、を備えている。
【００１１】
液晶表示装置は、複数の画素領域Ｐｓを有する表示領域ＥＩを備えている。表示領域ＥＩの各画素領域Ｐｓは格子状の遮光パターン１４により区画されている。また、各画素領域Ｐｓには、３色（赤、緑、青）のカラーフィルタ１３のいずれかが設けられており、３色の画素領域ＰＳを１グループとして絵素領域Ｐが構成される。ここで、遮光パターン１４およびカラーフィルタ１３の両者を総括して区画パターンという。
【００１２】
タッチパネルは、複数の第１検出電極１１１および複数の第２検出電極１２１によって入力位置を検出する。また、本実施形態においては、隣り合う第１検出電極１１１を接続する第１接続電極１２１と、隣り合う第２検出電極１２１を接続する第２接続電極１２２とを、遮光パターン１３を介して交差させている。
【００１３】
次いで、表示装置Ｘ１の構造について詳細に説明する。
【００１４】
まず、タッチパネルについて説明する。
【００１５】
タッチパネルは、第１基体１０と、表示領域ＥＩ内で図１に示すＡ方向に沿って配置される複数の第１検出電極パターン１１と、表示領域ＥＩ内で第１検出電極パターン１１に交差しかつ図１に示すＢ方向に沿って配置される複数の第２検出電極パターン１２とを備える。
【００１６】
第１基体１０は、第１検出電極パターン１１、第２検出電極パターン１２、カラーフィルタ１３、遮光パターン１４、カラーフィルタ１３および遮光パターン１４を覆うように設けられている絶縁膜１５、および絶縁膜１５上に設けられている第１表示電極パターン１６を支持する機能を有するものである。
【００１７】
第１基体１０は、図２に示すように、第１主面としての上面１０ａを有する。第１基体１０の平面視形状は、例えば矩形状とされている。第１基体１０は、ガラスもしくはプラスチックなどの透光性を有する材料によって形成される。
【００１８】
第１検出電極パターン１１は、第１基体１０の上面１０ａに設けられている。第１検出電極パターン１１は、複数の第１検出電極１１１と、隣接する第１検出電極１１１同士を接続する複数の第１接続電極１１２と、第１検出電極１１１に電圧を印加するための第１検出用配線１１３とを有している。
【００１９】
第１検出電極１１１は、矢印Ａ方向での指もしくはペンなどが接する入力位置を検出する機能を有するものである。複数の第１検出電極１１１は、表示領域ＥＩにおける第１基体１０の上面１０ａに設けられている。複数の第１検出電極１１１は、所定の間隔を空け
てマトリックス状に配置されている。また、矢印Ｂ方向の隣り合う第１検出電極１１１は第１接続電極１１２によって互いに接続されている。第１検出電極１１１の形状は平面視形状が略ひし形をしているが、このような形状には限られない。第１検出電極１１１の材料としては、透光性および導電性を有するものが挙げられ、例えばＩＴＯ（Indium Tin Oxide）、ＩＺＯ（Indium Zinc Oxide）、ＡＴＯ（Antimony Tin Oxide）、ＡＺＯ（Al-Doped Zinc Oxide）、酸化錫、酸化亜鉛、導電性高分子（ＰＥＤＯＴおよびＰＳＳなど）などが挙げられる。
【００２０】
第１検出電極１１１の形成方法としては、例えば、次のような方法が挙げられる。まず、スパッタリング法、蒸着法、あるいは化学気相成長（ＣＶＤ）法により、ＩＴＯなどの材料を第１基体１０の上面１０ａに成膜する。そして、この膜の表面に感光性樹脂を塗布し、露光、現像することで感光性樹脂を所望のパターンに形成する。次いで、薬液などを用いてＩＴＯなどの材料からなる膜をエッチングし、膜がパターニングされることで、複数の第１検出電極１１１が形成される。
【００２１】
第１接続電極１１２は、表示領域ＥＩにおける第１基体１０の上面１０ａに設けられている。図４および図６に示すように、第１接続電極１１２は、第２接続電極１２２と平面視において交差している。この第１接続電極１１２と第２接続電極１２２との交差する部分では、遮光パターン１４が第１接続電極１１２と第２接続電極１２２との間に介在している。第１接続電極１１２は、第２接続電極１２２と対向する部位を有している。また、第１接続電極１１２の幅は、第１検出電極１１１および第２検出電極１２１の幅に比べて小さい。第１接続電極１１２は第１検出電極１１１の材料によって形成される。また、第１接続電極１１２の形成方法は、第１検出電極１１１と同様でもよい。
【００２２】
第１検出用配線１１３は、外側領域ＥＯにおける第１基体１０の上面１０ａに設けられている。第１検出用配線１１３は、その一端部が矢印Ｂ方向に配列する複数の第１検出電極１１１のうち端部に位置する第１検出電極１１１に接続され、他端部が外部導通領域ＥＧに位置している。第１検出用配線１１３は、ＩＴＯ、酸化錫、アルミニウム、アルミニウム合金、銀膜、もしくは銀合金などの導電性材料によって形成される。また、第１検出用配線１１３の形成方法としては、第１検出電極１１１と同様でもよい。
【００２３】
第２検出電極パターン１２は、第１基体１０の上面１０ａに設けられている。第２検出電極パターン１２は、複数の第２検出電極１２１と、隣接する第２検出電極１２１同士を接続する第２接続電極１２２と、第２検出電極１２１に電圧を印加するための第２検出用配線１２３とを有している。
【００２４】
第２検出電極１２１は、矢印Ｂ方向での指などが接する入力位置を検出する機能を有するものである。複数の第２検出電極１２１は、表示領域ＥＩにおける第１基体１０の上面１０ａに設けられている。また、複数の第２検出電極１２１は、所定の間隔を空けてマトリックス状に配置されている。また、矢印Ａ方向の隣り合う第２検出電極１２１は、第２接続電極１２２によって互いに接続される。第２検出電極１２１の材料は、第１検出電極１１１と同様のものが挙げられる。また、第２検出電極１２１の形成方法は、第１検出電極１１１と同様でもよい。
【００２５】
第２接続電極１２２は、第１接続電極１１２との間で遮光パターン１４を挟み込むように遮光パターン１４の上面に設けられている。第２接続電極１２２は、図４および図６に示すように、第１接続電極１１２と交差している。この第１接続電極１１２と第２接続電極１２２との交差する部分では、遮光パターン１４が第１接続電極１１２と第２接続電極１２２との間に介在している。第２接続電極１２２は、第１接続電極１２１と平面視において対向する部位を有している。この場合、遮光パターン１４は、可視光の透過率が極め
て低いため、第１接続電極１１２と第２接続電極１２２とをカラーフィルタ１３を介して交差させた場合に比べて、第１接続電極１１２と第２接続電極１２２との交差部分が認識されにくく、表示品位の低下を低減することができる。また、第２接続電極１２２の幅は、第１検出電極１１１および第２検出電極１２１の幅に比べて小さい。第２接続電極１２２の材料は、第１検出電極１１１と同様のものが挙げられる。また、第２接続電極１２２は単層構造ではなく、図７に示すように複数層からなる構造を採用してもよい。また、第２接続電極１２２の形成方法は、第１検出電極１１１と同様でよい。
【００２６】
また、図６Ｂに示すように、第２接続電極１２２の厚みＬ２は、第２検出電極１２１の厚みＬ１より大きくなるように設定されている。これにより、第２接続電極１２２の有するシート抵抗値が、第２検出電極１２１が有するシート抵抗値より小さくなる。すなわち、第２接続電極１２２でさらに電流が流れやすくなり、第２検出電極１２１間における検出信号を伝達する速度が向上する。したがって、入力位置の検出速度が向上する。
【００２７】
また、第２接続電極１２２の厚みＬ２を第２検出電極１２１の厚みＬ１に比べて大きくする代わりに、第２接続電極１２２に第２検出電極１２１の材料より抵抗率の低い材料を用いることで、第２接続電極１２２の有するシート抵抗値を小さくしてもよい。抵抗率の低い材料としては、例えばアルミニウム，クロム，金，銀，銅、これらの合金などが挙げられる。なお、シート抵抗値は、四探針法によって測定することができる。
【００２８】
第２検出用配線１２３は、第２検出用配線１２３は、外部領域ＥＯにおける第１基体１０の上面１０ａに設けられている。また、第２検出用配線１２３は、その一端部が複数の第２検出電極１２１のうち端部に位置する第２検出電極１２１に接続され、他端部が外部導通領域ＥＧに位置している。第２検出用配線１２３の材料は、第１検出用配線１１３と同様のものが挙げられる。また、第２検出用配線１２３の形成方法は、第１検出電極１１１と同様でもよい。
【００２９】
タッチパネルの入力位置の検出原理について説明する。
【００３０】
タッチパネルにおいては、複数の第１検出電極１１１と複数の第２検出電極１２１とが近接して配置されているので、各第１検出電極１１１と各第２検出電極１２１との間では複数の浮遊容量が発生する。すなわち、タッチパネルでは、複数の浮遊容量素子が表示領域ＥＩにマトリックス状に配置されている。また、複数の第１検出電極パターン１１に第１電圧が印加されるとともに、複数の第２検出電極パターン１２に第１電圧とは異なる第２電圧が印加されると、各浮遊容量素子に電荷が蓄積される。この状態で、指などの入力手段が、タッチパネルの表示領域ＥＩに接触すると、指とタッチパネルとの接触部分に存在する浮遊容量素子の浮遊容量が変化する。すなわち、接触部分に存在する浮遊容量素子に蓄積される電荷量も変化する。その結果、接触部分に存在する複数の第１検出電極１１１および複数の第２検出電極１２１が属する第１検出電極パターン１１および第２検出電極パターン１２における電圧も変化する。第１検出電極パターン１１および第２検出電極パターン１２の電圧変化はドライバ（図示しない）によって読みとられる。もし、ドライバによって読み取られた電圧変化が所定値を超えていた場合、ドライバは所定値を超えた電圧の変化をした第１検出電極１パターン１１および第２検出電極パターン１２を認識し、第１検出電極パターン１１と第１検出電極パターン１２との交差部分を入力位置として認識する。
【００３１】
次に、液晶表示装置について詳細に説明する。
【００３２】
液晶表示装置は、可視光のうち特定の波長のみを透過させるカラーフィルタ１３と、を遮光する遮光パターン１４と、カラーフィルタ１３および遮光パターン１４を覆う絶縁膜
１５と、絶縁膜１５に配置される第１表示電極パターン１６と、第１基体１０と対向配置される第２基体２０と、第２基体２０上に配置される第１表示電極パターン１６と、第１基体１０と第２基体２０との間であって表示領域ＥＩに位置する液晶層３０と、液晶層３０に対して光を出射する光源装置４０と、液晶層３０を取り囲むように第１基体１０と第２基体２０との間に位置する接合部材５０と、第１基体１０に対して第２基体２０とは反対側に位置する第１偏光板６０と、光源装置４０と第２基体２０との間に位置する第２偏光板７０とを備える。
【００３３】
複数のカラーフィルタ１３は、第１検出電極１１１の上面および第２検出電極１２１の上面に設けられている。図４および図６に示すように、カラーフィルタ１３は、その外周によって画素領域ＰＳを区画している。複数のうち一のカラーフィルタ１３は、赤（Ｒ）、緑（Ｇ）および青（Ｂ）のいずれかの色を有している。また、カラーフィルタ１３は、第１表示電極１６１と第２表示電極２１１とが対向する領域に位置する。カラーフィルタ１３の材料としては、例えばアクリル系樹脂に染料あるいは顔料を添加させたものが挙げられる。カラーフィルタ１３の製造方法としては、例えば、上述の材料を第１検出電極１１１および第２検出電極１２１の上面に塗布し、露光、現像することで形成される。
【００３４】
遮光パターン１４は、第１検出電極１１１および第２検出電極１２１の上面に設けられている。図４および図６に示すように、遮光パターン１４は画素領域ＰＳを区画している。第１検出電極１１１および第２検出電極１２１の上面に設けられている。遮光パターン１４が、光源装置４０からの光を遮光することで、表示領域ＥＩにおけるコントラストが向上するので、表示品位が向上する。遮光パターン１４の材料としては、例えば、遮光率の高い色（例えば黒色）の染料あるいは顔料、カーボンが添加された樹脂などの絶縁性を有するものが挙げられる。なお、遮光パターン１４がカラーフィルタ１３および第２接続電極１２２の有する可視光の遮光率に比べて高い遮光率を有するかどうかは、次の方法で判断できる。
【００３５】
始めに、同一光源から遮光パターン１４およびカラーフィルタ１３（第２接続電極１２２）のそれぞれに対して可視光を入射させ、遮光パターン１４およびカラーフィルタ１３（第２接続電極１２２）の透過光の透過光スペクトルをプロットする。次に、可視光の波長領域である０．３８μｍ〜０．７８μｍの範囲で透過光スペクトルの面積を計算する。もし、遮光パターン１４の透過光スペクトルの面積が、カラーフィルタ１３（第２接続電極１２２）の透過光スペクトルの面積に比べて大きかった場合、遮光パターン１４は、カラーフィルタ１３（第２接続電極１２２）に比べて高い遮光率を有すると判断できる。
【００３６】
また、遮光パターン１４は、第１接続電極１１２を覆うように設けられている。この遮光パターン１４の上面に第２接続電極１２２が設けられている。すなわち、遮光パターン１４は、第１接続電極１１２と第２接続電極１２２とを電気的に絶縁している。
【００３７】
図４および図６に示すように、表示領域ＥＩは格子状の遮光パターン１４により区画されている。また、遮光パターン１４で区画された各領域には、赤、緑および青のいずれかの色を有するカラーフィルタ１３が設けられて画素領域ＰＳを構成しており、赤、緑および青の３色の画素領域ＰＳを１グループとして絵素領域Ｐが構成される。
【００３８】
絶縁膜１５は、第２接続電極１２２と第１表示電極１６１とを電気的に絶縁する機能を有するものである。絶縁膜１５は、第２接続電極１２２の上面に設けられている。絶縁膜１５の形成方法としては、カラーフィルタ１３と同様でもよい。
【００３９】
第１表示電極パターン１６は、液晶層３０に電圧を印加する第１表示電極１６１と、第１表示電極１６１に接続される第１表示用配線１６２とを有している。
【００４０】
複数の第１表示電極１６１は、表示領域における絶縁膜１５の上面１５ａに設けられている。また、本実施形態においては、第１表示電極１６１の形状はストライプ状である。また、複数の第１表示電極１６１は、矢印Ｂ方向に沿って配列している。第１表示電極１６１は、ＩＴＯ（Indium Tin Oxide）および酸化錫などの透光性および導電性を有する材料によって形成される。第２表示電極２１１の形成方法としては、第１検出電極１１１と同様のものが挙げられる。
【００４１】
第１表示用配線１６２は、外側領域ＥＯにおける第１基体１０の上面１０ａに設けられている。第１表示用配線１６２は、その一端部が第１表示電極１６１に接続され、他端部が外部導通領域ＥＧに位置している。第１表示用配線１６２の材料としては、ＩＴＯ、酸化錫、アルミニウム、アルミニウム合金、銀、もしくは銀合金などの金属が挙げられる。第１表示用配線１６２の形成方法としては、第１検出電極１１１と同様である。
【００４２】
第２基体２０は、第２表示電極パターン２１を支持する機能を有するものである。第２基体２０は、図２に示すように、第１基体１０の上面１０ａと対向する対向面２０ａを有する。第２基体２０の平面視形状は、例えば矩形状とされている。第２基体２０は、ガラスもしくはプラスチックなどの透光性を有する材料によって形成される。
【００４３】
第２表示電極パターン２１は、液晶層３０に電圧を印加する第２表示電極２１１と、第２表示電極２１１に接続される第２表示用配線２１２とを有している。
【００４４】
第２表示電極２１１は、液晶などに電圧を印加する機能を有するものである。複数の第１表示電極２１１は、表示領域ＥＩにおける第２基体２０の対向面２０ａに設けられている。本実施形態においては、第２表示電極２１１の形状はストライプ状である。また、複数の第２表示電極２１１が、第１表示電極１６１の配列方向と交差する矢印Ａ方向に配列している。第２表示電極２１１の材料としては、第１表示電極１６１と同様のものが挙げられる。
【００４５】
第２表示用配線２１２は、外側領域ＥＯにおける第１基体１０の上面１０ａに設けられている。また、第２表示用配線２１２は、その一端部が第２表示電極２１１と電気的に接続され、他端部が外部導通領域ＥＧに位置している。本実施形態においては、第２表示用配線２１２の一端部は、図５に示すように、接合部材５０に含有された導電性粒子５１を介して第２表示電極２１１と電気的に接続されている。第２表示用配線２１２の材料としては、第１表示用配線と同様のものが挙げられる。また、第２表示用配線２１２は、上記材料の積層体でもよい。第２表示用配線２１２の形成方法としては、第１検出電極１１１と同様である。
【００４６】
液晶層３０は、電気的、光学的、力学的、あるいは磁気的な異方性を示し、固体の規則性と液体の流動性を併せ持つ液晶を含む層である。液晶層３０は、第１基体１０と第２基体２０との間に設けられている。液晶としては、ネマティック液晶、コレステリック液晶、およびスメクティック液晶などが挙げられる。なお、液晶層３０には、液晶層３０の厚さを一定に保つため、例えば多数の粒子状部材により構成されるスペーサ（図示せず）を介在させてもよい。
【００４７】
光源装置４０は、表示領域ＥＩにおける第１基体１０および第２基体２０に向けて光を照射する機能を有するものである。光源装置４０は、光源４１と、導光板４２とを有している。
【００４８】
接合部材５０は、第２基体２０と第１基体１０とを貼り合わせる機能を有するものであ
る。接合部材５０は、表示領域ＥＩを取り囲むようにして、第１基体１０と第２基体２０との間に設けられている。また、接合部材５０は、少なくとも表面に金、銀、ニッケルなどの金属を有する導電性粒子５１を含んでいる。
【００４９】
第１偏光板６０は、所定の振動方向の光を選択的に透過させる機能を有するものである。第１偏光板６０は、第２基体２０と導光板４２との間に位置している。なお、図１において、第１偏光板６０の図示は省略している。
【００５０】
第２偏光板７０は、所定の振動方向の光を選択的に透過させる機能を有するものであり、第１偏光板６０が透過させる振動方向とは直交する振動方向の光を透過する。第２偏光板７０は、第１基体１０および第２基体２０を介して第１偏光板６０と対向して配置される。なお、図１において、第２偏光板７０の図示は省略している。
【００５１】
液晶表示装置の画像表示の原理について説明する。
【００５２】
液晶表示装置においては、外部に設けられた液晶用駆動回路によって画素領域ＰＳごとに液晶層３０を制御して、光源装置４０の光を第１基体１０に透過させ、表示領域ＥＩに画像を表示させることができる。
【００５３】
以上のような表示装置Ｘ１においては、遮光パターン１４が、表示領域ＥＩを区画するように第１基体１０の上面１０ａに設けられている。また、隣り合う第２検出電極１２１を電気的に接続する第２接続電極１２２が、遮光パターン１４上に第１接続電極１２２を介して設けられている。すなわち、遮光パターン１４が、表示領域ＥＩにおけるコントラストを向上させる部材と、第１接続電極１１２と第２接続電極１２２とを電気的に絶縁させる部材とを兼ねている。したがって、表示装置Ｘ１においては、部品点数を低減できる。
【００５４】
また、表示装置Ｘ１においては、第２接続電極１２２、第１検出用配線１１３、第２検出用配線１２３、第１表示用配線１６２および第２表示用配線２１２を同一材料で形成するとよい。第２接続電極１２２、第１検出用配線１１３、第２検出用配線１２３、第１表示用配線１６２および第２表示用配線２１２を形成するための成膜工程およびパターニング工程を同時に行うことができる。したがって、表示装置Ｘ１の製造工程を簡略化できる。
【００５５】
以下、本実施形態の変形例について、図８Ａ、図８Ｂ、図９Ａ、図９Ｂ、図１０Ａ、図１０Ｂを用いて説明する。
【００５６】
図８Ａおよび図８Ｂは、本実施形態の第１の変形例に係る表示装置Ｘ１を示すものである。図１の表示装置Ｘ１と異なる点は、図１の表示装置Ｘ１が、第２検出電極１２１と第２接続電極１２２とが直接的に接続されているのに対して、図８Ａおよび図８Ｂの表示装置Ｘ１は、第２検出電極１２１と第２接続電極１２２とが導通スルーホールＴを介して接続されている点である。これにより、図８Ａおよび図８Ｂの表示装置Ｘ１は、第２接続電極１２２が遮光パターン１４のどの部位に位置していたとしても、第２接続電極１２２を第２検出電極１２１に接続できる。なお、導通スルーホールＴは、例えば遮光パターン１４に貫通孔を設け、この貫通孔の少なくとも内壁面に金属などの導体を設けることで形成できる。
【００５７】
図９Ａおよび図９Ｂは、本実施形態の第２の変形例に係る表示装置Ｘ１を示すものである。図１の表示装置Ｘ１と異なる点は、図１の表示装置Ｘ１が、第１接続電極１１２と第２接続電極１２２との間の交差部分に区画パターンとしての遮光パターン１４を介在させ
ているのにしたのに対して、図９Ａおよび図９Ｂの表示装置Ｘ１は、第１接続電極１１２と第２接続電極１２２との間の交差部分に区画パターンとしてのカラーフィルタ１３を介在させている点である。なお、図９および図９Ｂの表示装置Ｘ１においては、第２接続電極１２２が、導通スルーホールＴを介して第２検出電極１２１と接続している。また、第２接続電極１２２を、カラーフィルタ１３および遮光パターン１４の両者を介して、第１接続電極１１２に交差させてもよい。
【００５８】
図１０Ａおよび図１０Ｂは、本実施形態の第３の変形例に係る表示装置Ｘ１を示すものである。図１の表示装置Ｘ１と異なる点は、以下の通りである。図１の表示装置Ｘ１では、第１検出電極１１１、第１接続電極１１２、第２検出電極１２１および第２接続電極１２２が、平面視で遮光パターン１４の外周の内側および外側に設けられている。これに対して、図１０Ａおよび図１０Ｂの表示装置Ｘ１では、第１検出電極１１１、第１接続電極１１２、第２検出電極１２１および第２接続電極１２２は、平面視で、その外周が遮光パターン１４の外周よりも内側に位置するように遮光パターン１４の形成領域内に設けられている。
【００５９】
これにより、図１０Ａおよび図１０Ｂの表示装置Ｘ１では、光源装置４０の光が遮光パターン１４に遮光され、第１検出電極１１１、第１接続電極１１２、第２検出電極１２１および第２接続電極１２２を透過した光が使用者に到達しにくくなる。よって、第１検出電極１１１、第１接続電極１１２、第２検出電極１２１および第２接続電極１２２が視認されにくくなることで、表示品位が向上する。
【００６０】
[第２の実施の形態]
次に、図１１を参照しながら、本発明の第２の実施形態の係る表示装置Ｘ２について説明する。なお、表示装置Ｘ１と同様の機能を有する構成については、同じ参照符号を付記し、表示装置Ｘ１と重複する説明は省略する。
【００６１】
表示装置Ｘ２と表示装置Ｘ１との異なる点は、表示装置Ｘ１が、液晶表示パネルを採用しているのに対して、表示装置Ｘ２は、ＥＬ表示パネルを採用している点である。
【００６２】
ＥＬ表示パネルは、液晶表示パネルのカラーフィルタ１３および液晶層３０の代わりに、複数の発光層８０を備えている。発光層８０は、画素領域ＰＳごとに設けられており、Ｅ発光層８０は、赤（Ｒ）、青（Ｂ）、緑（Ｇ）のいずれかの色を発光する。また、表示装置Ｘ２は、ＥＬ表示パネルを採用しているので、光源装置４０、第１偏光板６０および第２偏光板７０を備えていない。
【００６３】
なお、表示装置Ｘ２においては、赤（Ｒ）、青（Ｂ）、緑（Ｇ）のいずれかの色を発光する発光層８０を備えているが、これに代えて、白色光を発光する発光層８０およびカラーフィルタ１４を備えてもよい。
【００６４】
表示装置Ｘ２においては、外部に設けられた駆動回路が、第１表示電極１６１および第２表示電極２１１を介して発光層８０の発光を制御して、発光層８０の光を第１基体１０に透過させることで、表示装置Ｘ２の表示領域ＥＩに画像を表示させることができる。
【００６５】
このような第２の実施形態の表示装置Ｘ２においても、第１接続電極１１２と第２接続電極１２２との交差する部分で、遮光パターン１４が第１接続電極１１２と第２接続電極１２２との間に介在しているので、先に述べた第１の実施形態と同様に、部品点数を低減できるという効果を奏する。
【００６６】
[第３の実施の形態]
次に、図１２を参照しながら、本発明の第３の実施形態の係る表示装置Ｘ３について説明する。なお、表示装置Ｘ１と同様の機能を有する構成については、同じ参照符号を付記し、表示装置Ｘ１と重複する説明は省略する。
【００６７】
表示装置Ｘ３と表示装置Ｘ１との異なる点は、表示装置Ｘ１が、縦電界方式のパッシブマトリクス駆動方式の液晶表装置を採用しているのに対して、表示装置Ｘ３は、横電界方式のアクティブマトリクス駆動方式の液晶表示装置を採用している点である。具体的には次の通りである。
【００６８】
表示装置Ｘ１では、第１表示電極１６１が第１基体１０の第１主面１０ａ上に設けられているとともに、第２表示電極２１１が第２基体２０の対向面２０ａ上に設けられている。これに対して、表示装置Ｘ３では、第１表示電極１６１および第２表示電極２１１が第２基体２０の対向面２０ａ上に設けられている。
【００６９】
表示装置Ｘ３においては、第２基体２０の対向面２０ａ上に設けられている第１表示電極１６１および第２表示電極１６２が、電界を形成し液晶層３０を制御している。この電界は水平方向に形成されている。これにより、第１表示電極１６１および第２表示電極１６２によって形成された電界は、第１基体１０の第１主面１０ａ上に形成されている第１検出電極１１１および第２検出電極１２１に到達しにくくなる。したがって、第１検出電極１１１および第２検出電極１２１に発生するノイズを低減でき、検出精度の低下を低減できる。
【００７０】
また、表示装置Ｘ３では、いわゆるＩＰＳ（Ｉｎ−Ｐｌａｎｅ Ｓｗｉｔｃｈｉｎｇ）
モードについて説明したが，これに代えてＦＦＳ（Ｆｒｉｎｇｅ  Ｆｉｅｌｄ    Ｓｗｉｔｃｈｉｎｇ）モードを採用してもよい。
【００７１】
なお、上述した実施形態は、本発明の実施形態の具体例を示すものであり、本発明の要旨を逸脱しない範囲において種々の変更が可能である。
【００７２】
第１の実施形態および第２の実施形態においては、パッシブマトリクス駆動方式を採用したが、これに代えて、アクティブマトリクス駆動方式を採用してもよい。
【００７３】
第２の実施形態においては、第２基体２０を設けているが、必ずしも第２基体２０は必要ない。
【００７４】
第２の実施形態においては液晶層３０を用いた表示方式について説明し、第２の実施形態においては発光層８０を用いた表示方式について説明したが、これに限定されない。例えば、プラズマなどを用いた表示方式を用いてもよい。この場合、プラズマ表示装置における表示領域ＥＩの区画パターンとしての遮光パターン１４もしくはカラーフィルタ１３を介して、タッチパネルの第１接続電極１１２と第２接続電極１２２とを交差させれば、本実施形態の表示装置と同様な効果が得られる。
【００７５】
また、第１〜第３の実施形態においては、表示装置として電子ペーパーを採用してもよい。
【符号の説明】
【００７６】
Ｘ１、Ｘ２、Ｘ３  表示装置
１０  第１基体
１１  第１検出電極パターン
１１１  第１検出電極
１１２  第１接続電極
１１３  第１検出用配線
１２  第２検出電極パターン
１２１  第２検出電極
１２２  第２接続電極
１２３  第２検出用配線
１２４  導電性部材
１３  カラーフィルタ
１４  遮光パターン
１５  絶縁膜
１６    第１表示電極パターン
１６１  第１表示電極
１６２  第１表示用配線
２０    第２基体
２１    第２表示電極パターン
２１１  第２表示電極
２１２  第２表示用配線
３０    液晶層
８０    ＥＬ素子
【図１】
2011107699.tif 000003
【図２】
2011107699.tif 000004
【図３】
2011107699.tif 000005
【図４】
2011107699.tif 000006
【図５】
2011107699.tif 000007
【図６Ａ】
2011107699.tif 000008
【図６Ｂ】
2011107699.tif 000009
【図７】
2011107699.tif 000010
【図８Ａ】
2011107699.tif 000011
【図８Ｂ】
2011107699.tif 000012
【図９Ａ】
2011107699.tif 000013
【図９Ｂ】
2011107699.tif 000014
【図１０Ａ】
2011107699.tif 000015
【図１０Ｂ】
2011107699.tif 000016
【図１１】
2011107699.tif 000017
【図１２】
2011107699.tif 000018